(57)【要約】【課題】ＵＳＢ  Ｐｏｗｅｒ  Ｄｅｌｉｖｅｒｙを適用しなくても大電流での電力供給を開始できる。【解決手段】給電システムは、ＵＳＢ  Ｔｙｐｅ−Ｃ規格に準拠する第１ＵＳＢコネクタを有する給電装置と、ＵＳＢ  Ｔｙｐｅ−Ｃ規格に準拠する第２ＵＳＢコネクタを有する受電装置と、を備え、第２ＵＳＢコネクタは、所定の基準電流より大きい大電流の受電が可能である旨を通知するための大電流通知ピンを有し、受電装置は、第２ＵＳＢコネクタが第１ＵＳＢコネクタに接続された場合に、大電流通知ピンを介して、所定の基準電流より大きい大電流の受電が可能である旨を給電装置に通知し、給電装置は、受電装置より、大電流の受電が可能である旨の通知を受けた場合に、受電装置への大電流での電力供給を開始することができると判定する。【選択図】図１
2018197987.tif 000002
【特許請求の範囲】
【請求項１】
ＵＳＢ  Ｔｙｐｅ−Ｃ規格に準拠する第１ＵＳＢコネクタを有する給電装置と、
ＵＳＢ  Ｔｙｐｅ−Ｃ規格に準拠する第２ＵＳＢコネクタを有する受電装置と、を備え、
前記第２ＵＳＢコネクタは、所定の基準電流より大きい大電流の受電が可能である旨を通知するための大電流通知ピンを有し、
前記受電装置は、前記第２ＵＳＢコネクタが前記第１ＵＳＢコネクタに接続された場合に、前記大電流通知ピンを介して、所定の基準電流より大きい大電流の受電が可能である旨を前記給電装置に通知し、
前記給電装置は、前記受電装置より、前記大電流の受電が可能である旨の通知を受けた場合に、前記受電装置への前記大電流での電力供給を開始することができると判定する、給電システム。
【請求項２】
前記受電装置は、ＵＳＢ  Ｔｙｐｅ−Ｃ規格に準拠する、デバイス接続用の複数のダウンストリームポートを更に有し、
前記第２ＵＳＢコネクタは、充電が必要なダウンストリームポートの番号を通知するための番号通知ピンを更に有し、
前記受電装置は、前記第２ＵＳＢコネクタが前記第１ＵＳＢコネクタに接続された場合に、前記複数のダウンストリームポートのうち充電が必要なダウンストリームポートの番号を検出し、前記番号通知ピンを介して当該充電が必要なダウンストリームポートの番号を前記給電装置に通知し、
前記第１ＵＳＢコネクタにおける複数のＶＢＵＳピンは、それぞれ、前記受電装置における各ダウンストリームポートへの給電のために割り当てられ、
前記給電装置は、前記受電装置より、当該充電が必要なダウンストリームポートの番号の通知を受けた場合に、前記第１ＵＳＢコネクタにおける当該ダウンストリームポートの番号に対応するＶＢＵＳピンを介して、前記受電装置における当該充電が必要なダウンストリームポートへの電力供給を開始する、請求項１に記載の給電システム。
【請求項３】
前記受電装置は、前記第２ＵＳＢコネクタが前記第１ＵＳＢコネクタに接続された場合に、大電流通知ピンをアクティブにする、請求項１に記載の給電システム。
【請求項４】
前記受電装置は、前記複数のダウンストリームポートのうち、充電が必要なダウンストリームポートの番号を検出した場合に、当該充電が必要なダウンストリームポートの番号に対応する番号通知ピンをアクティブにする、請求項２に記載の給電システム。
【請求項５】
前記大電流通知ピンは、ＳＢＵ１ピンおよびＳＢＵ２ピンである、請求項３に記載の給電システム。
【請求項６】
前記番号通知ピンは、二組のＵＳＢ通信用ピンのうちの一方である、請求項４に記載の給電システム。
【請求項７】
前記第１ＵＳＢコネクタと前記第２ＵＳＢコネクタとはＵＳＢ  Ｔｙｐｅ−Ｃ規格に準拠するケーブルを介して接続され、前記ケーブルは、前記受電装置における各ダウンストリームポートに対応する複数の電源ラインＶＢＵＳを有する、請求項２に記載の給電システム。
【請求項８】
ＵＳＢ  Ｔｙｐｅ−Ｃ規格に準拠し、所定の基準電流より大きい大電流の受電が可能である旨を通知するための大電流通知ピンを有する第２ＵＳＢコネクタと、
前記第２ＵＳＢコネクタが給電装置のＵＳＢ  Ｔｙｐｅ−Ｃ規格に準拠する第１ＵＳＢコネクタに接続された場合に、前記大電流通知ピンを介して、所定の基準電流より大きい大電流の受電が可能である旨を前記給電装置に通知する大電流対応通知部と、を備える、受電装置。
【請求項９】
複数のダウンストリームポートを更に備え、
前記複数のダウンストリームポートはそれぞれ、前記第２ＵＳＢコネクタにおける複数の電源ピンのそれぞれに対応付けられており、
前記ダウンストリームポートは、対応する電源ピンより電力が供給される、請求項８に記載の受電装置。
【請求項１０】
前記第２ＵＳＢコネクタは、充電が必要なダウンストリームポートの番号を通知するための番号通知ピンを更に有し、
ＵＳＢ  Ｔｙｐｅ−Ｃ規格に準拠する、デバイス接続用の複数のダウンストリームポートと、
前記第２ＵＳＢコネクタが前記第１ＵＳＢコネクタに接続された場合に、前記複数のダウンストリームポートのうち充電が必要なダウンストリームポートの番号を検出し、前記番号通知ピンを介して当該充電が必要なダウンストリームポートの番号を前記給電装置に通知する充電ポート通知部と、を更に備える、請求項９に記載の受電装置。
【請求項１１】
前記充電ポート通知部は、前記複数のダウンストリームポートのうち、充電が必要なダウンストリームポートの番号を検出した場合に、当該充電が必要なダウンストリームポートの番号に対応する番号通知ピンをアクティブにする、請求項１０に記載の受電装置。
【請求項１２】
前記番号通知ピンは、前記第２ＵＳＢコネクタにおける二組のＵＳＢ通信用ピンのうち少なくとものいずれか一組である、請求項１１に記載の受電装置。
【請求項１３】
ＵＳＢ  Ｔｙｐｅ−Ｃ規格に準拠する第１ＵＳＢコネクタと、
前記第１ＵＳＢコネクタに接続されたＵＳＢ  Ｔｙｐｅ−Ｃ規格に準拠する第２ＵＳＢコネクタを備えた受電装置より、前記第２ＵＳＢコネクタにおける所定の基準電流より大きい大電流の受電が可能である旨を通知するための大電流通知ピンを介して前記大電流の受電が可能である旨の通知を受けた場合に、前記受電装置が前記大電流での電力供給が可能であると判定する大電流対応判定部と、を備える、給電装置。
【請求項１４】
前記第１ＵＳＢコネクタにおける複数のＶＢＵＳピンのそれぞれに対応して設けられた複数の電圧出力部を更に備え、
前記受電装置の受電が必要なダウンストリームポートのポート番号を示す番号通知情報に基づき前記電圧出力部からの電力出力を制御する電圧出力選択部をさらに備える、請求項１３に記載の給電装置。
。
【請求項１５】
ＵＳＢ  Ｐｏｗｅｒ  Ｄｅｌｉｖｅｒｙに準拠して給電または受電を制御する機能を有するコントローラを更に備える、請求項１４に記載の給電装置。
【発明の詳細な説明】
【技術分野】
【０００１】
本発明は給電システムに関し、ＵＳＢ  Ｔｙｐｅ−Ｃ（登録商標）規格に準拠するコネクタを介して充電を行う給電システムに関する。
【背景技術】
【０００２】
次世代のＵＳＢ(Universal Serial Bus)コネクタの規格であるＵＳＢ  Ｔｙｐｅ−Ｃ規格は、今後市場での普及が見込まれている。ＵＳＢ  Ｔｙｐｅ−Ｃ規格（非特許文献１）に準拠のコネクタを利用した次世代の二次電池（バッテリ）充電の方式、システムとして、ＵＳＢ  Ｐｏｗｅｒ  Ｄｅｌｉｖｅｒｙと呼ばれる規格（以下、ＰＤという）が策定されている（非特許文献２）。ＰＤでは、供給可能な電力が、ＵＳＢ  Ｂａｔｔｅｒｙ  Ｃｈａｒｇｉｎｇ  Ｓｐｅｃｉｆｉｃａｔｉｏｎ  １．２と呼ばれるＵＳＢバッテリ充電の規格（以下、ＢＣ１．２という）の７．５Ｗ（５Ｖ、１．５Ａ）から、最大１００Ｗまで大幅に増大する。具体的にはＰＤでは、バス電圧ＶＢＵＳとして、ＶＢＵＳラインを介して５Ｖより高い電圧（具体的には１２Ｖ、２０Ｖ）の供給が許容されており、充電電流も、ＢＣ１．２よりも大きな量（具体的には、２Ａ、３Ａ、５Ａ）の供給が許容される。
【先行技術文献】
【非特許文献】
【０００３】
【非特許文献１】Universal Serial Bus Type-C Cable and Connector Specification Revision 1.2 March 25, 2016
【非特許文献２】Universal Serial Bus Power Delivery Specification Revision 3.0, V1.0a. 25 March 2016
【発明の概要】
【発明が解決しようとする課題】
【０００４】
非特許文献２に記載のＰＤでは、給電装置（Source）と受電装置（Sink）の双方に、ＰＤに準拠して給電または受電を制御する機能を有するコントローラＩＣ（Integrated Circuit）を実装する必要がある。しかしながら、非特許文献１に記載のＵＳＢ  Ｔｙｐｅ−Ｃ規格に準拠するコネクタを有する受電装置には、ＰＤ準拠のコントローラＩＣを搭載していないものも存在する。この場合、給電装置は、ＢＣ１．２によって規定された電流（１．５Ａ）での給電となり、充電装置はこの電流を超えるような大電流での受電はできなかった。
【０００５】
その他の課題と新規な特徴は、本明細書の記述および添付図面から明らかになるであろう。
【課題を解決するための手段】
【０００６】
一実施の形態によれば、給電システムは、ＵＳＢ  Ｔｙｐｅ−Ｃ規格に準拠する第１ＵＳＢコネクタを有する給電装置と、ＵＳＢ  Ｔｙｐｅ−Ｃ規格に準拠する第２ＵＳＢコネクタを有する受電装置と、を備え、第２ＵＳＢコネクタは、所定の基準電流より大きい大電流の受電が可能である旨を通知するための大電流通知ピンを有し、受電装置は、第２ＵＳＢコネクタが第１ＵＳＢコネクタに接続された場合に、大電流通知ピンを介して、所定の基準電流より大きい大電流の受電が可能である旨を給電装置に通知し、給電装置は、受電装置より、大電流の受電が可能である旨の通知を受けた場合に、受電装置への大電流での電力供給を開始することができると判定する。
【発明の効果】
【０００７】
前記一実施の形態によれば、ＵＳＢ  Ｐｏｗｅｒ  Ｄｅｌｉｖｅｒｙを適用しなくても大電流での電力供給を開始できる給電システムを提供することができる。
【図面の簡単な説明】
【０００８】
【図１】実施の形態の概要にかかる給電システムの構成の一例を示すブロック図である。
【図２】実施の形態１にかかる給電システムの構成例を示すブロック図である。
【図３】実施の形態１にかかる給電システムの給電装置における、ＵＳＢ  Ｔｙｐｅ−Ｃ規格に準拠の第１ＵＳＢコネクタのピン配置を示す模式図である。
【図４】実施の形態１にかかる給電システムの受電装置における、ＵＳＢ  Ｔｙｐｅ−Ｃ規格に準拠の第２ＵＳＢコネクタのピン配置を示す模式図である。
【図５】第１ＵＳＢコネクタと第２ＵＳＢコネクタを接続する接続ケーブルの断面の一例を示す模式図である。
【図６】給電装置の詳細な構成を示すブロック図である。
【図７】受電装置の詳細な構成を示すブロック図である。
【図８】給電装置の第１ＵＳＢコネクタにおける、ＶＢＵＳピンおよび信号ピンとダウンストリームポート番号との対応関係を示す図である。
【図９】受電装置の第２ＵＳＢコネクタにおける、信号ピン（番号通知ピン）とダウンストリームポート番号との対応関係を示す図である。
【図１０】給電装置における処理の流れを示すフローチャートである。
【図１１】受電装置における処理の流れを示すフローチャートである。
【図１２】給電システムにおける、受電装置と給電装置との信号のやり取りについて説明するシーケンス図である。
【図１３】実施の形態２にかかる給電システムの構成について説明する。
【図１４】実施の形態２にかかる給電システムにおける、給電装置の詳細な構成を示すブロック図である。
【図１５】実施の形態３にかかる給電システムの構成について説明する。
【図１６】実施の形態３にかかる給電システムにおける、給電装置の詳細な構成を示すブロック図である。
【図１７】給電装置における処理の流れを示すフローチャートである。
【発明を実施するための形態】
【０００９】
以下、図面を参照しつつ、上記課題を解決するための手段を適用した実施形態を詳細に説明する。説明の明確化のため、以下の記載及び図面は、適宜、省略、及び簡略化がなされている。また、様々な処理を行う機能ブロックとして図面に記載される各要素は、ハードウェア的には、ＣＰＵ（Central Processing Unit）、メモリ、又はその他の回路で構成することができ、ソフトウェア的には、メモリにロードされたプログラムなどによって実現される。したがって、これらの機能ブロックがハードウェアのみ、ソフトウェアのみ、又はそれらの組合せによっていろいろな形で実現できることは当業者には理解されるところであり、何れかに限定されるものではない。なお、各図面において、同一の要素には同一の符号が付されており、必要に応じて重複説明は省略されている。
【００１０】
また、上述したプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスク）、光磁気記録媒体（例えば光磁気ディスク）、ＣＤ−ＲＯＭ（Read Only Memory）ＣＤ−Ｒ、ＣＤ−Ｒ／Ｗ、及び半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００１１】
以下の実施の形態においては便宜上その必要があるときは、複数のセクション又は実施の形態に分割して説明するが、特に明示した場合を除き、それらはお互いに無関係なものではなく、一方は他方の一部又は全部の変形例、応用例、詳細説明、又は補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００１２】
さらに、以下の実施の形態において、その構成要素（動作ステップ等も含む）は、特に明示した場合及び原理的に明らかに必須であると考えられる場合等を除き、必ずしも必須のものではない。同様に、以下の実施の形態において、構成要素等の形状、又は位置関係等に言及するときは、特に明示した場合および原理的に明らかにそうでないと考えられる場合等を除き、実質的にその形状等に近似または類似するもの等を含むものとする。このことは、上記数等（個数、数値、量、範囲等を含む）についても同様である。
【００１３】
＜実施の形態の概要＞
実施の形態の詳細について説明する前に、まず、実施の形態の概要について説明する。図１は、実施の形態の概要にかかる給電システム１０の構成の一例を示すブロック図である。図１に示すように、給電システム１０は、給電装置１１と、受電装置１２と、を備える。給電装置１１は、ＵＳＢ  Ｔｙｐｅ−Ｃ規格に準拠する第１ＵＳＢコネクタ２１を有する。受電装置１２は、ＵＳＢ  Ｔｙｐｅ−Ｃ規格に準拠する第２ＵＳＢコネクタ３１を有する。第２ＵＳＢコネクタ３１は、受電装置１２が所定の基準電流より大きい大電流の受電が可能である旨を通知するための大電流通知ピン３１ａを有している。ここで、所定の基準電流とは、例えば、ＢＣ１．２によって供給が可能な電流（１．５Ａ）を意味する。
【００１４】
受電装置１２は、第２ＵＳＢコネクタ３１が第１ＵＳＢコネクタ２１に接続された場合に、大電流通知ピン３１ａを介して、所定の基準電流より大きい大電流の受電が可能である旨を給電装置１１に通知する。給電装置１１は、受電装置１２より、大電流の受電が可能である旨の通知を受けた場合に、受電装置１２への大電流での電力供給を開始することができると判定する。
【００１５】
このように、給電システム１０は、受電装置１２は大電流通知ピン３１ａを介して大電流の受電が可能である旨を給電装置１１に通知するので、ＵＳＢ  Ｐｏｗｅｒ  Ｄｅｌｉｖｅｒｙ（ＰＤ）を適用しなくても給電装置１１が受電装置１２に対して所定の基準電流より大きい大電流での電力供給を開始することができる。
【００１６】
＜実施の形態１＞
次に、実施の形態の詳細について説明する。図２は、実施の形態１にかかる給電システム１１０の構成例を示すブロック図である。図２に示すように、図１に示すように、給電システム１１０は、給電装置１１１と、受電装置１１２と、を備える。給電装置１１１は、例えば、電力供給に特化した電力供給源である。給電装置１１１は、ＵＳＢ  Ｔｙｐｅ−Ｃ規格に準拠する第１ＵＳＢコネクタ１２１を有する。受電装置１１２は、例えば、充電専用のＢｕｓ−ｐｏｗｅｒｅｄハブである。受電装置１１２は、ＵＳＢ  Ｔｙｐｅ−Ｃ規格に準拠する第２ＵＳＢコネクタ１３１と、ＵＳＢ  Ｔｙｐｅ−Ｃ規格に準拠する複数のダウンストリームポート１３２（ここでは、ポート番号１〜４の４つ）と、を有する。
【００１７】
第１ＵＳＢコネクタ１２１は、受電装置１１２に給電するためのＶＢＵＳピン１２１ａを有する。第２ＵＳＢコネクタ１３１は、所定の基準電流より大きい大電流の受電が可能である旨を受電装置１１２に通知するための大電流通知ピン１３１ａと、充電が必要なダウンストリームポートの番号を受電装置１１２に通知するための番号通知ピン１３１ｂと、を有する。受電装置１１２における第２ＵＳＢコネクタ１３１は、給電装置１１１における第１ＵＳＢコネクタ１２１に接続される。第１ＵＳＢコネクタ１２１と第２ＵＳＢコネクタ１３１は、接続ケーブルを介して接続されても、直接接続されてもよい。例えば、第１ＵＳＢコネクタ１２１と第２ＵＳＢコネクタ１３１が直接接続される場合に、第１ＵＳＢコネクタ１２１を雌型レセプタクル、第２ＵＳＢコネクタ１３１を雄型プラグとしてもよい。
【００１８】
図３は、ＵＳＢ  Ｔｙｐｅ−Ｃ規格に準拠の第１ＵＳＢコネクタ１２１のピン配置を示す模式図である。図４は、ＵＳＢ  Ｔｙｐｅ−Ｃ規格に準拠の第２ＵＳＢコネクタ１３１のピン配置を示す模式図である。図３および図４に示すように、第１ＵＳＢコネクタ１２１および第２ＵＳＢコネクタ１３１は、それぞれ、Ａ列に１２本（ピン番号Ａ１〜Ａ１２）、Ｂ列に１２本（ピン番号Ｂ１〜Ｂ１２）、合計２４本のピンを有する。第１ＵＳＢコネクタ１２１および第２ＵＳＢコネクタ１３１において、これらのピンは、Ａ列とＢ列が回転対称に配置されている。例えば、ＵＳＢ２．０の情報を通信するＵＳＢデータラインである、Ｄ−ピンは、互いに回転対称の位置にあるＡ７とＢ７に配置され、Ｄ＋ピンは、互いに回転対称の位置にあるＡ７とＢ７に配置されている。
【００１９】
図３に示すように、第１ＵＳＢコネクタ１２１において、Ａ列は、ＧＮＤピン（ピン番号Ａ１、Ａ１２）、コンフィグレーション信号用のＣＣ１ピン（ピン番号Ａ５）、第１のＵＳＢ通信モードの送受信信号用のＤ±ピン（ピン番号Ａ６、Ａ７）、第２のＵＳＢ通信モードの送信信号用のＴＸ１±（ピン番号Ａ２、Ａ３）、第２のＵＳＢ通信モードの受信信号用のＲＸ２±（ピン番号Ａ１０、Ａ１１）を備えている。Ｂ列は、ＧＮＤピン（ピン番号Ｂ１、Ｂ１２）、コンフィグレーション信号用のＣＣ２ピン（ピン番号Ｂ５）、第１のＵＳＢ通信モードの送受信信号用のＤ±ピン（ピン番号Ｂ６、Ｂ７）、第２のＵＳＢ通信モードの送信信号用のＴＸ２±（ピン番号Ｂ２、Ｂ３）、第２のＵＳＢ通信モードの受信信号用のＲＸ１±（ピン番号Ｂ１０、Ｂ１１）を備えている。例えば、第１のＵＳＢ通信モードは、ＵＳＢ２．０モードであり、第２のＵＳＢ通信モードはＳｕｐｅｒＳｐｅｅｄ  ＵＳＢモードである。
【００２０】
図３および図４に示すように、第２ＵＳＢコネクタ１３１のピン配置は、ピン番号Ａ５、Ｂ５以外、第１ＵＳＢコネクタ１２１のピン配置と同じである。第１ＵＳＢコネクタ１２１では、ピン番号Ａ５はＣＣ１ピン、ピン番号Ｂ５はＣＣ２ピンであるのに対し、第２ＵＳＢコネクタ１３１では、ピン番号Ａ５はＣＣピン、ピン番号Ｂ５はＶＣＯＮＮである。第２ＵＳＢコネクタ１３１におけるＣＣピン、ＶＣＯＮＮピンは、第１ＵＳＢコネクタ１２１におけるＣＣ１ピン、ＣＣ２ピンのいずれかに接続される。ＵＳＢ  Ｔｙｐｅ−Ｃ規格では、プラグを表裏どちらの方向に挿入してもレセプタクルへの接続が可能である。このため、ＵＳＢ  Ｔｙｐｅ−Ｃ規格では、ＣＣピンを用いてプラグの挿入の向きを検出する。
【００２１】
ＵＳＢ  Ｔｙｐｅ−Ｃ規格では、オルタネートモード以外の通常のＵＳＢ通信を行う場合、ＣＣピンによってプラグの挿入の向きが決まる。その結果、ＴＸ１±ピン、ＴＸ２±ピン、ＲＸ１±ピンおよびＲＸ２±ピンのうち片一方の組み合わせ、例えばＴＸ１±ピンとＲＸ１±ピンのペア、はＵＳＢ通信に使用されるが、もう片方の組み合わせ、例えばＴＸ２±ピンとＲＸ２±ピンのペア、は使用されないこととなる。給電システム１１０では、大電流通知ピン１３１ａとして、例えば、ＳＢＵ１ピンおよびＳＢＵ２ピンを用い、番号通知ピン１３１ｂとして、例えば、ＴＸ１±ピン、ＴＸ２±ピン、ＲＸ１±ピンおよびＲＸ２±ピンのうちの、少なくとも一組を用いる。図４では、ＴＸ２＋ピン、ＴＸ２−ピン、ＲＸ２＋ピン、ＲＸ２−ピンを番号通知ピン１３１ｂとして用いている。大電流通知ピン１３１ａおよび番号通知ピン１３１ｂの役割については後述する。
【００２２】
給電装置１１１における第１ＵＳＢコネクタ１２１と受電装置１１２における第２ＵＳＢコネクタ１３１は、それぞれ、ＶＢＵＳピンを４つ有している。後述するように、給電システム１１０では、受電装置１１２における複数のダウンストリームポート１３２（図２参照）は、それぞれ第２ＵＳＢコネクタ１３１のＶＢＵＳピンに対応しており、対応するＶＢＵＳピンを介して電力が送られる。このため、第１ＵＳＢコネクタ１２１と第２ＵＳＢコネクタ１３１をＵＳＢ  Ｔｙｐｅ−Ｃ規格に準拠する接続ケーブルを介して接続する場合、接続ケーブルにおける電源ラインＶＢＵＳは、少なくとも、複数のダウンストリームポートの個数分は必要となる。図５は、第１ＵＳＢコネクタ１２１と第２ＵＳＢコネクタ１３１を接続する接続ケーブル１１３の断面の一例を示す模式図である。図５に示すように、接続ケーブル１１３において、受電装置１１２における各ダウンストリームポートに対応する複数の電源ラインＶＢＵＳ１１３ａを有する。すなわち、電源ラインＶＢＵＳ１１３ａは、４つのダウンストリームポート１３２（図２参照）に対応するように４分割されている。各電源ラインＶＢＵＳは、それぞれシールドにより絶縁被覆される。接続ケーブル１１３をこのように構成することで、給電装置１１１から、受電装置１１２における４つのダウンストリームポート１３２のそれぞれに対し、適切に電力を送ることができる。
【００２３】
図６は、給電装置１１１の詳細な構成を示すブロック図である。図６に示すように、給電装置１１１は、大電流対応判定部１２２と、ポート番号検出部１２３と、接続判定部１２４と、ＶＢＵＳ選択部１２５と、を有する。以下、まずは、ＳＢＵ１ピンおよびＳＢＵ２ピンがアクティブである場合について説明する。大電流対応判定部１２２は、ＳＢＵ１ピンおよびＳＢＵ２ピンがアクティブ（Ｈｉｇｈ）であることを検出する。大電流対応判定部１２２は、ＳＢＵ１ピンおよびＳＢＵ２ピンがアクティブ（Ｈｉｇｈ）であることを検出した場合に、第１ＵＳＢコネクタ１２１に接続されている受電装置が大電流対応の受電装置１１２であると判定し、その旨をポート番号検出部１２３に通知する。言い換えれば、大電流対応判定部１２２は、ＳＢＵ１ピンおよびＳＢＵ２ピンがアクティブ（Ｈｉｇｈ）であるときは、接続されている受電装置が複数のＶＢＵＳピンを介して電力を受けることが可能であると判定するものである。
【００２４】
ポート番号検出部１２３は、接続されている受電装置が大電流対応である旨の通知を大電流対応判定部１２２から受けた場合に、接続された受電装置の雄型コネクタ上のＴＸ２＋、ＴＸ２−、ＲＸ２＋、ＲＸ２−ピン（番号通知受ピン１２１ｂ）のうち、アクティブ（Ｈｉｇｈ）であるピンを検出する。ポート番号検出部１２３は、接続された受電装置の雄型コネクタ上のＴＸ２＋、ＴＸ２−、ＲＸ２＋、ＲＸ２−ピン（番号通知受ピン１２１ｂ）のうち、少なくとも１つがアクティブ（Ｈｉｇｈ）であることを検出した場合、アクティブであるピンに対応するダウンストリームポート１３２（図２参照）のポート番号をＶＢＵＳ選択部１２５に通知する。接続判定部１２４は、第１ＵＳＢコネクタ１２１におけるＣＣ1ピンまたはＣＣ２ピンにおいて抵抗が検出されたか否かを判定し、その旨をＶＢＵＳ選択部１２５に通知する。
【００２５】
ＶＢＵＳ選択部１２５は、電圧出力選択部としての出力ＶＢＵＳ選択部１２５ａと、電圧出力部としてのＶＢＵＳ出力部１２５ｂと、を有する。出力ＶＢＵＳ選択部１２５ａは、接続判定部１２４からＣＣ1ピンまたはＣＣ２ピンにおいて抵抗が検出された旨の通知に基づいてＵＳＢ通信用として使用しないと判定された信号ピンを介して得られたポート番号通知に基づき、例えば、ピン番号Ａ４のＶＢＵＳピンに対応するＶＢＵＳ出力部１２５ｂに出力指令を送信する。出力ＶＢＵＳ選択部１２５ａから出力指令を受けた、ピン番号Ａ４のＶＢＵＳピンに対応するＶＢＵＳ出力部１２５ｂは、ＢＣ１．２で規定された電力を出力する。
【００２６】
出力ＶＢＵＳ選択部１２５ａは、ポート番号検出部１２３からダウンストリームポート１３２（図２参照）のポート番号が通知された場合、通知されたポート番号に対応するＶＢＵＳ出力部１２５ｂに対して出力指令を送信する。ＶＢＵＳ出力部１２５ｂは、パワーサプライコントローラであり、各ＶＢＵＳピン（ピン番号Ａ４，Ｂ９，Ａ９，Ｂ４）に対応して設けられている。出力ＶＢＵＳ選択部１２５ａから出力指令を受けたＶＢＵＳ出力部１２５ｂはそれぞれ、所定の基準電流での電力を出力する。
ＳＢＵ１ピンおよびＳＢＵ２ピンがアクティブでない場合には、大電流対応判定部１２２は、第１ＵＳＢコネクタ１２１に接続されている受電装置が、複数のＶＢＵＳピンを介して電力を受けることができる受電装置ではないと判定する。その場合、給電装置１１１は、いずれか一つのＶＢＵＳピンを介して電力を出力するように、ＶＢＵＳ出力部１２５ｂが制御される。
【００２７】
図７は、受電装置１１２の詳細な構成を示すブロック図である。図７に示すように、受電装置１１２は、大電流対応通知部１３３と、充電ポート通知部１３４と、充電ポート通知部１３４と、動作用電力調整部１３５と、を有する。大電流対応通知部１３３は、ＶＢＵＳピン（ここでは、ピン番号Ａ４のＶＢＵＳピン）を介して給電装置１１１（図６参照）から動作用電力が供給されたときにＳＢＵ１ピンおよびＳＢＵ２ピンをアクティブ（Ｈｉｇｈ）にする。ここで、動作用電力とは、例えば、受電装置１１２における、充電ポート通知部１３４や大電流対応通知部１３３などを動作させるための電力である。なお、ＳＢＵ１ピンおよびＳＢＵ２ピンがＨｉｇｈのときの電圧レベルは、ＵＳＢ規格またはＵＳＢ  Ｔｙｐｅ−Ｃ規格で定義されている以外の値とする。
【００２８】
番号通知ピン１３１ｂ（ＴＸ２＋、ＴＸ２−、ＲＸ２＋、ＲＸ２−ピン）は、それぞれダウンストリームポート１３２に対応するように設けられている。充電ポート通知部１３４は、番号通知ピン１３１ｂ（ＴＸ２＋、ＴＸ２−、ＲＸ２＋、ＲＸ２−ピン）のうち、ダウンストリームポート１３２に接続されている機器のうち充電を必要としているダウンストリームポート１３２の番号に対応するピンをアクティブ（Ｈｉｇｈ）にする。ダウンストリームポート１３２のそれぞれは、ＶＢＵＳピンに対応づけられており、各ダウンストリームポート１３２は対応するＶＢＵＳピンからそれぞれ電力が供給される。動作用電力調整部１３５は、第２ＵＳＢコネクタ１３１におけるＶＢＵＳピン（ピン番号Ａ４）を介して給電装置１１１から電力が供給された場合に、受電装置１１２が動作できる最小の電流値に調整し、ダウンストリームポート１３２への電力供給を優先する。
【００２９】
図７に示すように、第２ＵＳＢコネクタ１３１のＣＣピンには抵抗が接続されている。第２ＵＳＢコネクタ１３１のＣＣピンが、図６に示す給電装置１１１における第１ＵＳＢコネクタ１２１のＣＣ１ピンに接続されると、給電装置１１１の接続判定部１２４では、第１ＵＳＢコネクタ１２１のＣＣ１ピンにおける抵抗が検出される。一方、第２ＵＳＢコネクタ１３１のＣＣピンが、給電装置１１１における第１ＵＳＢコネクタ１２１のＣＣ２ピンに接続されると、給電装置１１１の接続判定部１２４では、第１ＵＳＢコネクタ１２１のＣＣ２ピンにおける抵抗が検出される。
【００３０】
図８は、給電装置１１１の第１ＵＳＢコネクタ１２１における、ＶＢＵＳピンおよび信号ピンとダウンストリームポート１３２（図７参照）のポート番号との対応関係を示す図である。図８に示すように、ＶＢＵＳピンは、ピン番号Ａ４がポート番号１、ピン番号Ｂ９がポート番号２、ピン番号Ａ９がポート番号３、ピン番号Ｂ４がポート番号４に対応する。番号通知ピンは、プラグの挿入向きを判定して、ＵＳＢ通信用として選択されなかった信号ピンが割り当てられる。したがって、ＣＣ１ピンにおいて抵抗が検出された場合とＣＣ２ピンにおいて抵抗が検出された場合とで、ダウンストリームポート１３２のポート番号を通知するための信号ピンは異なる。すなわち、ＣＣ１ピンにおいて抵抗が検出された場合、信号ピンは、ＴＸ２＋ピンがポート番号１、ＴＸ２−ピンがポート番号２、ＲＸ２＋ピンがポート番号３、ＲＸ２−ピンがポート番号４に対応する。ＣＣ２ピンにおいて抵抗が検出された場合、信号ピンは、ＴＸ１＋ピンがポート番号１、ＴＸ１−ピンがポート番号２、ＲＸ１＋ピンがポート番号３、ＲＸ１−ピンがポート番号４に対応する。
【００３１】
図９は、受電装置１１２の第２ＵＳＢコネクタ１３１における、信号ピン（番号通知ピン１３１ｂ）とダウンストリームポート１３２のポート番号との対応関係を示す図である。図９に示すように、番号通知ピン１３１ｂは、ＴＸ２＋ピンがポート番号１、ＴＸ２−ピンがポート番号２、ＲＸ２＋ピンがポート番号３、ＲＸ２−ピンがポート番号４に対応する。
【００３２】
次に、給電装置１１１および受電装置１１２における処理について以下で説明する。なお、以下の説明では、給電システム１１０の構成については図２を、給電装置１１１の構成については図６を、受電装置１１２の構成については図７を適宜参照する。
図１０は、給電装置１１１における処理の流れを示すフローチャートである。図１０に示すように、まず、給電装置１１１の第１ＵＳＢコネクタ１２１に受電装置１１２の第２ＵＳＢコネクタを接続する（ステップＳ１０１）。そして、接続判定部１２４において、ＣＣ１またはＣＣ２がアクティブであることを検出する（ステップＳ１０２）。
【００３３】
ステップＳ１０２に続いて、ＶＢＵＳ選択部１２５がＶＢＵＳピン（Ａ４）への動作用電力の出力を開始する（ステップＳ１０３）。続いて、大電流対応判定部１２２において、ＳＢＵ１ピンおよびＳＢＵ２ピンがアクティブか否かを判定する（ステップＳ１０４）。
【００３４】
ステップＳ１０４において、ＳＢＵ１ピンおよびＳＢＵ２ピンがアクティブである場合（ＹＥＳの場合）、第１ＵＳＢコネクタ１２１に接続された受電装置が複数のＶＢＵＳピンを介して電力を受けることができる充電専用ハブ（受電装置１１２）であると判定する（ステップＳ１０５）。ステップＳ１０４において、ＳＢＵ１ピンおよびＳＢＵ２ピンがアクティブでない場合（ＮＯの場合）、第１ＵＳＢコネクタ１２１に接続された受電装置が複数のＶＢＵＳピンを介して電力を受けることができる充電専用ハブではないと判定する（ステップＳ１０９）。そして、ステップＳ１０３における電力出力状態を継続し、充電専用ハブ用の処理を終了する。
【００３５】
ステップＳ１０５に続いて、ポート番号検出部１２３において、ＴＸ１±,ＲＸ１±、もしくはＴＸ２±、ＲＸ２±からなる番号通知ピンのうちいずれかがアクティブか否かを判定する（ステップＳ１０６）。ステップＳ１０６において、番号通知ピンのいずれかがアクティブである場合（ＹＥＳの場合）、番号通知ピンのうちアクティブであるピンに対応するダウンストリームポート１３２のポート番号を割り出す（ステップＳ１０７）。ポート番号検出部１２３において割り出されたポート番号は、ＶＢＵＳ選択部１２５に通知される。ステップＳ１０７に続いて、ＶＢＵＳ選択部１２５において、割り出されたポート番号に対応するＶＢＵＳピンへの電力出力を開始する（ステップＳ１０８）。そして、処理を終了する。
【００３６】
図１１は、受電装置１１２における処理の流れを示すフローチャートである。図１１に示すように、まず、給電装置１１１の第１ＵＳＢコネクタ１２１に受電装置１１２の第２ＵＳＢコネクタ１３１を接続する（ステップＳ２０１）。そして、ＶＢＵＳピン（Ａ４）より動作用電力の供給を受けて受電装置１１２が作動する（ステップＳ２０２）。続いて、大電流対応通知部１３３において大電流通知ピン１３１ａとしてのＳＢＵ１ピンおよびＳＢＵ２ピンをアクティブにする（ステップＳ２０３）。
【００３７】
ステップＳ２０３に続いて、充電ポート通知部１３４において、ダウンストリームポートのうち、接続されている機器において充電を必要としているダウンストリームポートがあるか否か判定する（ステップＳ２０４）。ステップＳ２０４において、接続されている機器において充電を必要としているダウンストリームポートがある場合（ＹＥＳの場合）に、番号通知ピン１３１ｂとしてのＴＸ２＋,ＴＸ２−,ＲＸ２＋,ＲＸ２−のうち、接続されている機器において充電を必要としているダウンストリームポート１３２のポート番号に対応するピンをアクティブにする（ステップＳ２０５）。
【００３８】
図１２は、給電システム１１０における、受電装置１１２と給電装置１１１との信号のやり取りについて説明するシーケンス図である。図１２に示すように、まず、受電装置１１２は、ＣＣピンを介してコネクタの向きを通知する（ステップＳ３０１）。次に、給電装置１１１は、受電装置１１２に動作用電力を供給する（ステップＳ３０２）。次に、受電装置１１２は、大電流通知ピン１３１ａとしてのＳＵＢ１及びＳＵＢ２ピンを介して、大電流受電に対応している旨を給電装置１１１に通知する（ステップＳ３０３）。次に、受電装置１１２は、番号通知ピン１３１ｂとしてのＴＸ２＋，ＴＸ２−，ＲＸ２＋，ＲＸ２−ピンを介して、接続されている機器において充電を必要としているダウンストリームポートのポート番号を給電装置１１１に通知する（ステップＳ３０４）。次に、給電装置１１１は、通知されたポート番号に対応するＶＢＵＳピンを介して、受電装置１１２に所定の基準電流より大きい大電流の電力を供給する（ステップＳ３０５）。
【００３９】
以上より、給電システム１１０では、受電装置１１２が大電流通知ピン１３１ａ（ＳＢＵ１ピンおよびＳＢＵ２ピン）を介して大電流の受電が可能である旨を給電装置１１１に通知するので、ＰＤを適用しなくても給電装置１１１が受電装置１１２に対して所定の基準電流より大きい大電流での電力供給を開始することができる。
【００４０】
ＰＤでは、所定の基準電流より大きい大電流での電力供給を開始するために、ＳＯＰ（Ｓｔａｒｔ  Ｏｆ  Ｐａｃｋｅｔ）通信やＭｅｓｓａｇｅ通信による処理フローを実施する必要がある。ＳＯＰ通信、Ｍｅｓｓａｇｅ通信による処理フローを行うためには、給電装置および受電装置に、ＰＤに準拠して給電または受電を制御する機能を有するコントローラ（ＰＤコントローラ）を実装するとともに、ＰＤコントローラを動作させるためのファームウェアも必要になる。給電システム１１０では、ＰＤを適用しないので、ＰＤコントローラやＰＤコントローラを動作させるためのファームウェアが不必要になる。
【００４１】
給電システム１１０では、ＳＢＵ１ピンおよびＳＢＵ２ピンがアクティブであることを検出した後でないと、ＶＢＵＳピンから所定の基準電流より大きい大電流での電力供給は開始されない。このため、大電流の受電に非対応の受電装置が接続された場合に、誤って、所定の基準電流より大きい大電流での電力供給がされる危険性を低減することができる。
【００４２】
また、給電システム１１０では、接続されている機器において充電が必要なダウンストリームポートのポート番号を、番号通知ピン１３１ｂを介して受電装置１１２から給電装置１１１に対して通知する。給電装置１１１は、各ダウンストリームポートに対応するＶＢＵＳ出力部１２５ｂを有しており、接続されている機器において充電が必要なダウンストリームポート１３２のポート番号が通知されたときに、通知されたポート番号のダウンストリームポート１３２への電力の供給を、当該通知されたポート番号に対応するＶＢＵＳにより行う。これに対し、給電システムにＰＤを適用しない場合、通常、受電装置は、給電装置から１つのＶＢＵＳピンから供給された電力を、例えば、４つのダウンストリームポートに対して分配する必要がある。このとき、１つのＶＢＵＳピンを介して送られる電力はＢＣ１．２で規定された電力であり、この電力を複数のダウンストリームポートに対して分配する。一方、本実施の形態に係る給電システム１１０では、受電装置には、給電装置から複数のＶＢＵＳピンを介して電力が供給され、各ダウンストリームポートには対応するＶＢＵＳピンからそれぞれ電力が送られる。各ＶＢＵＳピンを介して供給される電力はＢＣ１．２で規定された電力であるが、１つのＶＢＵＳピンを複数のダウンストリームポートに分配する場合に比べて、各ダウンストリームポートにより大きな電力を供給することができる。
【００４３】
＜実施の形態２＞
図１３を参照して、実施の形態２にかかる給電システム２１０の構成について説明する。以下、実施の形態１と同様の構成については記載を省略し、実施の形態１と異なる内容を記載する。図１３は、実施の形態２にかかる給電システム２１０の構成を示すブロック図である。図１３に示すように、給電システム２１０は、給電装置２１１と、受電装置１１２と、を備えている。給電システム２１０は、図２に示す、実施の形態１における給電システム１１０に対して、給電装置２１１の構成のみ異なる。
【００４４】
図１４は、給電装置２１１の詳細な構成を示すブロック図である。図１４に示すように、給電装置２１１は、大電流対応判定部１２２と、ポート番号検出部１２３と、ホスト機能部２２４と、ＶＢＵＳ選択部１２５と、を有する。すなわち、給電装置２１１は、実施の形態１における給電装置１１１（図６参照）の接続判定部１２４に代えて、ホスト機能部２２４を有する。ホスト機能部２２４は、ＵＳＢデータ通信の制御を行うものであり、図示されていないが、ＵＳＢ通信用の信号ピンと接続されている。また、ホスト機能部２２４は、コンフィグレーションピン（ＣＣ１およびＣＣ２）を介してプラグの表裏を判別する判別機能を有し、判別結果に基づき二組あるＵＳＢ通信の信号ピンのうちいずれか一組を選択し、選択した信号ピンを介してデータ通信制御を行う。
【００４５】
給電装置２１１は、ＵＳＢ  Ｔｙｐｅ−Ｃ規格に準拠の第１ＵＳＢコネクタ１２１およびホスト機能部２２４を予め有する既存のホスト機器において、大電流対応判定部１２２、ポート番号検出部１２３およびＶＢＵＳ選択部１２５をさらに実装したものである。すなわち、給電装置２１１における、受電装置１１２に対し所定の基準電流より大きい大電流での電力供給を開始するための機能を実現するための構成は、接続判定部１２４に代えてホスト機能部２２４を有する点以外、実施の形態１における給電装置１１１と同じである。ここで、既存のホスト機器は、例えば、パーソナルコンピュータ、ディスプレイ、プリンタ複合機、カーナビゲーション等である。
【００４６】
給電システム２１０の受電装置１１２における処理の流れは、実施の形態１において図１１を用いて説明した、実施の形態１において図１１を用いて説明した、給電システム１１０の受電装置１１２における処理の流れと同じである（図１１の説明において、給電装置１１１を給電装置２１１と読み替える）。給電システム２１０における、受電装置１１２と給電装置２１１との信号のやり取りは、実施の形態１において図１２を用いて説明した、受電装置１１２と給電装置１１１との信号のやり取りと同じである（図１２の説明において、給電装置１１１を給電装置２１１と読み替える）。給電システム２１０の給電装置２１１における処理の流れは、実施の形態１において図１０を用いて説明した、給電システム１１０の給電装置１１１における処理の流れと基本的に同じである。給電装置２１１の処理フローでは、図１０を用いて説明した給電装置１１１の処理フローにおいて、給電装置１１１を給電装置２１１と読み替えるともに、ステップＳ１０２において、接続判定部１２４の代わりにホスト機能部２２４の有する判別機能を用いて、ＣＣ１またはＣＣ２がアクティブであることを検出するものとする。
【００４７】
以上より、給電システム２１０では、受電装置１１２が大電流通知ピン１３１ａ（ＳＢＵ１ピンおよびＳＢＵ２ピン）を介して大電流の受電が可能である旨を給電装置２１１に通知するので、ＰＤを適用しなくても給電装置２１１が受電装置１１２に対して所定の基準電流より大きい大電流での電力供給を開始することができる。また、ＵＳＢ  Ｔｙｐｅ−Ｃ規格に準拠の第１ＵＳＢコネクタ１２１およびホスト機能部２２４を予め有する既存のホスト機器において、大電流対応判定部１２２、ポート番号検出部１２３およびＶＢＵＳ選択部１２５を追加して実装することにより、ＰＤを適用せずに給電装置２１１が受電装置１１２に対して所定の基準電流より大きい大電流での電力供給を開始することができる機能を追加することができる。
【００４８】
＜実施の形態３＞
実施の形態３にかかる給電システム２１０の構成について説明する。以下、実施の形態１または実施の形態２と同様の構成については記載を省略し、実施の形態１または実施の形態２と異なる内容を記載する。図１５は、実施の形態３にかかる給電システム３１０の構成を示すブロック図である。図１５に示すように、給電システム３１０は、給電装置３１１と、受電装置１１２と、を備えている。給電システム３１０は、図１３に示す、実施の形態２における給電システム２１０に対して、給電装置３１１の構成のみ異なる。
【００４９】
図１６は、給電装置３１１の詳細な構成を示すブロック図である。図１６に示すように、給電装置２１１は、大電流対応判定部１２２と、ポート番号検出部１２３と、ホスト機能部２２４と、ＶＢＵＳ選択部１２５と、ＰＤコントローラ３２６と、を有する。すなわち、給電装置３１１は、実施の形態２における給電装置２１１（図１４参照）に対して、ＰＤに準拠して給電または受電を制御する機能を有するＰＤコントローラ３２６が更に追加されている。ＰＤコントローラ３２６は、コンフィギュレーションピン（ＣＣ１およびＣＣ２）に基づきプラグが表または裏に挿入されたかを判別する判別機能を有しており、判別結果に基づきコンフィグレーションピン（ＣＣ１またはＣＣ２）を使用して電力制御のためのネゴシエーションを行うものである。
【００５０】
給電システム３１０の受電装置１１２における処理の流れは、実施の形態１において図１１を用いて説明した、給電システム１１０の受電装置１１２における処理の流れと同じである（図１１の説明において、給電装置１１１を給電装置３１１と読み替える）。給電システム３１０における、受電装置１１２と給電装置３１１との信号のやり取りは、実施の形態１において図１２を用いて説明した、受電装置１１２と給電装置１１１との信号のやり取りと同じである（図１２の説明において、給電装置１１１を給電装置３１１と読み替える）。
【００５１】
図１７は、給電装置３１１における処理の流れを示すフローチャートである。図１７に示すように、まず、給電装置１１１の第１ＵＳＢコネクタ１２１に受電装置１１２の第２ＵＳＢコネクタを接続する（ステップＳ４０１）。そして、ＰＤコントローラ３２６が有する判別機能でもって、ＣＣ１またはＣＣ２がアクティブであることを検出する（ステップＳ４０２）。
【００５２】
ステップＳ４０２に続いて、ＶＢＵＳ選択部１２５がＶＢＵＳピン（Ａ４）への動作用電力の出力を開始する（ステップＳ４０３）。続いて、大電流対応判定部１２２において、ＳＢＵ１ピンおよびＳＢＵ２ピンがアクティブか否かを判定する（ステップＳ４０４）。
【００５３】
ステップＳ４０４において、ＳＢＵ１ピンおよびＳＢＵ２ピンがアクティブである場合（ＹＥＳの場合）、給電装置は、第１ＵＳＢコネクタ１２１に接続された受電装置が複数のＶＢＵＳピンを介して電力を受けることができる充電専用ハブ（受電装置１１２）であると判断する（ステップＳ４０５）。ステップＳ４０４において、ＳＢＵ１ピンおよびＳＢＵ２ピンがアクティブでない場合（ＮＯの場合）、給電装置は、第１ＵＳＢコネクタ１２１に接続された受電装置が複数のＶＢＵＳピンを介して電力を受けることができる充電専用ハブではないと判断する（ステップＳ４０９）。ステップＳ４０９に続いて、給電装置は、ＰＤに基づいた通信を開始する。
【００５４】
ステップＳ４０５に続いて、ポート番号検出部１２３において、ＴＸ１±,ＲＸ１±、もしくはＴＸ２±、ＲＸ２±からなる番号通知ピンのうちいずれかがアクティブか否かを判定する（ステップＳ４０６）。ステップＳ４０６において、番号通知ピンのいずれかがアクティブである場合（ＹＥＳの場合）、番号通知ピンのうちアクティブであるピンに対応するダウンストリームポート１３２のポート番号を割り出す（ステップＳ４０７）。ポート番号検出部１２３において割り出されたポート番号は、ＶＢＵＳ選択部１２５に通知される。ステップＳ４０７に続いて、ＶＢＵＳ選択部１２５において、割り出されたポート番号に対応するＶＢＵＳピンへの電力出力を開始する（ステップＳ４０８）。そして、ステップＳ４０３における電力出力状態を継続し、処理を終了する。
【００５５】
上述したように、給電装置３１１は、ＰＤコントローラ３２６を有する。このため、給電装置３１１の第１ＵＳＢコネクタ１２１に受電装置が接続されたときに、給電装置３１１の大電流対応判定部１２２において、接続された受電装置が充電専用ハブ（受電装置１１２）ではないと判定された場合に、ＰＤの処理フローに基づいて、接続された受電装置がＰＤに対応した機器であるか否かを判定することができる。給電装置３１１およびＰＤに対応した機器である受電装置のそれぞれに備えられたＰＤコントローラは、例えばＵＳＢ  Ｔｙｐｅ−Ｃ規格に準拠の接続ケーブルに含まれる信号ラインＣＣまたは電源ラインＶＢＵＳを介して相互に通信し、電力制御のためのネゴシエーションを行う。そのネゴシエーションの結果に応じ、ＶＢＵＳ出力部１２５ｂが、ＶＢＵＳピンを介して、受電装置に対して電力を供給する。このように、給電装置３１１では、ＰＤに対応した受電装置にも適切に電力供給を行うことができる。
【００５６】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。例えば、上記実施の形態では、受電装置を動作させるためにＶＢＵＳピンのうちＡ４ピンを介して電力供給するようにしているが、これに限るものではなく、Ａ４ピン以外のＶＢＵＳピンにより受電装置を動作させるための電力を供給してもよい。
【符号の説明】
【００５７】
１０，１１０，２１０，３１０  給電システム
１１，１１１，２１１，３１１  給電装置
１２，１１２  受電装置
２１，１２１  第１ＵＳＢコネクタ
２１ａ，１２１ａ  ＶＢＵＳピン
３１，１３１  第２ＵＳＢコネクタ
３１ａ，１３１ａ  大電流通知ピン
１１３  接続ケーブル
１１３ａ  電源ラインＶＢＵＳ
１２２  大電流対応判定部
１２３  ポート番号検出部
１２４  接続判定部
１２５  ＶＢＵＳ選択部
１２５ａ  出力ＶＢＵＳ選択部
１２５ｂ  ＶＢＵＳ出力部
１３１ｂ  番号通知ピン
１３２  ダウンストリームポート
１３３  大電流対応通知部
１３４  充電ポート通知部
１３５  動作用電力調整部
２２４  ホスト機能部
３２６  ＰＤコントローラ
【図１】
2018197987.tif 000003
【図２】
2018197987.tif 000004
【図３】
2018197987.tif 000005
【図４】
2018197987.tif 000006
【図５】
2018197987.tif 000007
【図６】
2018197987.tif 000008
【図７】
2018197987.tif 000009
【図８】
2018197987.tif 000010
【図９】
2018197987.tif 000011
【図１０】
2018197987.tif 000012
【図１１】
2018197987.tif 000013
【図１２】
2018197987.tif 000014
【図１３】
2018197987.tif 000015
【図１４】
2018197987.tif 000016
【図１５】
2018197987.tif 000017
【図１６】
2018197987.tif 000018
【図１７】
2018197987.tif 000019